(57)【要約】      （修正有）【課題】拡散光の照明機能を備える指針式時計を提供する。【解決手段】拡散光モジュールを備え、拡散光モジュールは指針式時計の機芯１２０と時間表示ユニット１３０との間に位置し、照明ユニットの嵌め込みに用いられ、並びにその照明ユニット発光ダイオード１４０からの光線に対して少なくとも一つの回折機能を提供する。これにより、前記拡散光モジュールの回折機能はその照明ユニットからの光線を時間表示ユニットに表れるシート状照明に変換することができ、必要な拡散光の機能を果たすことができる。【選択図】図３
0003161218.tif 000002
【実用新案登録請求の範囲】
【請求項１】
拡散光による照明機能を備える指針式時計であって、
電源に接続され、当該電源から給電される回路板と、
前記回路板と電気的に接続され、当該回路板により制御されて時間を示す時間表示ユニットと、
前記回路板と電気的に接続され、当該回路板により制御されて照明の光源を提供する照明ユニットと、
前記照明ユニットを収納するための定位槽、時計の機芯と回折片との間に設置され前記回折片からの光線を前記時間表示ユニットの方向へ反射させるための不透明の反射片、及び前記回折片と前記時間表示ユニットとの間に設置され前記回折片からの光線を拡散させて前記時間表示ユニットへ導く透明の拡散片を含む、拡散光モジュールと、を備え
前記拡散光モジュールの回折機能を通じて前記照明ユニットからの光線を前記時間表示ユニットに生じるシート状照明に変換することによって、拡散光の照明機能を果たすことを特徴とする、
拡散光の照明機能を備える指針式時計。
【請求項２】
前記時間表示ユニットは、時間表示符号が印刷された透明シートと、前記時計の機芯に接続される少なくとも一つの時間針及び分針と、を含むことを特徴とする請求項１記載の拡散光の照明機能を備える指針式時計。
【請求項３】
前記時間表示ユニットは、前記拡散片に印刷される時間表示符号と、前記時計の機芯に接続される少なくとも一つの時間針及び分針と、を含むことを特徴とする請求項１記載の、拡散光の照明機能を備える指針式時計。
【考案の詳細な説明】
【技術分野】
【０００１】
本考案は時計の照明改善に関するもので、更に詳しく言えば、それは照明機能を備える指針式時計に関し、その照明機能は新型の拡散光の照明機能を提供することができるので、夜間での時間判読を便利にするほか、この指針式時計自身も照明光源の提供に用いられる。
【背景技術】
【０００２】
図１に示すのは現在市販によく見られる照明時計(90)である。それの照明機能は時計面(91)側辺の一つの点状光源(92)だけに頼る。この点状光源(92)の作用は時計面(91)に対して直接照明を提供することである。ところがその光束の直線放射特性と所在位置に妨げられ、それら時計面(91)の一角に設けられてある点状光源(92)は扇形の照明区域しか提供できず、すなわちそれの光線は時計面(91)全面にいきわたることができないので、時間の判読に不利だけでなく、全体的照明効果も美観と言えない。もし照明効果を増強する場合、光源を増設するのも実行可能な方法であるが、この方法は原料コスト(cost)と電気使用量が増える等生産に不利な要素を伴い、同時に組立作業の複雑さも増える。
【考案の概要】
【考案が解決しようとする課題】
【０００３】
従来の時計内での照明効果がよくないことに鑑み、本考案の主要目的は拡散光の照明機能を備える指針式時計を提供するもので、それには拡散光モジュール(module)が設けられ、点状光源からの光線を回折現象によって片状照明に変換し、それによって時間表示ユニット(unit)に対して均衡な全体照明を提供する。そのために夜間での時間判読を便利にするほか、この指針式時計自身も照明光源の提供に用いられる。
【課題を解決するための手段】
【０００４】
本考案は、拡散光の照明機能を備える指針式時計であり、電源に接続され、当該電源から給電される回路板と、当該回路板と電気的に接続され、当該回路板に制御されて時間演算動作を行う時計の機芯と、時計の機芯に接続され、当該回路板に制御されて時間を表示する時間表示ユニットと、当該回路板と電気的に接続され、当該回路板に制御されて照明光源を提供する照明光源と、拡散光モジュールと、を備え、拡散光モジュールは、定位槽が設けられるとともに、照明ユニットを収納する透明の回折片と、時計の機芯と回折片との間に設けられ、回折片からの光線を時間表示ユニットの方向へ反射する不透明の反射片と、回折片と時間表示ユニットとの間に設けられ、回折片からの光線を拡散させて時間表示ユニットへ導く透明の拡散片、とを含む。
【考案の効果】
【０００５】
前記拡散光モジュールの回折機能により、照明ユニットからの光線を時間表示ユニットに表れるシート状照明に変換することができ、拡散光の照明機能を果たすことができる。
【０００６】
本考案を実施して得られる長所は少なくても次のものを含む：
一、本考案の拡散光の照明機能を備える指針式時計は充分に美観の照明を提供することができ、時間の判読が便利になる。
【０００７】
二、本考案の拡散光の照明機能を備える指針式時計は照明光源として用いられ、おやすみランプ(lamp)のような効果を発揮することができる。
【０００８】
三、本考案の拡散光の照明機能を備える指針式時計の拡散光モジュールの構造は精巧簡単であり、それは現有時計の組立過程と組合すことができ、外の設備と加工手順を提供する必要がない。
【０００９】
四、本考案の拡散光の照明機能を備える指針式時計の拡散光モジュールの材質は経済的で壊れにくく、製造コストが低いかつ使用寿命が長い等長所を備える。
【図面の簡単な説明】
【００１０】
【図１】従来の照明機能を備える時計の正面図である。
【図２】本考案の拡散光の照明機能を備える時計の立体外観図である。
【図３】本考案の拡散光の照明機能を備える指針式時計の立体分解図である。
【図４】本考案の拡散光の照明機能を備える指針式時計の断面図である。
【図５】本考案の拡散光の照明機能を備える指針式時計の拡散光モジュールの拡大立体分解図である。
【図６】本考案の拡散光の照明機能を備える指針式時計の拡散光モジュールの実施意表図である。
【図７】本考案の拡散光の照明機能を備える指針式時計の正面図であり、拡散光モジュールは拡散光の照明機能を提供する。
【図８】本考案の拡散光の照明機能を備える指針式時計で、それの時間表示ユニットが拡散光モジュールに結合される実施意表図である。
【考案を実施するための形態】
【００１１】
[実施例]
図２から図４は本考案の拡散光の照明機能を備える指針式時計の立体外観図、立体分解図と断面図である。図面に示すように、本考案の拡散光の照明機能を備える指針式時計(10)は回路板(110)、時計の機芯(120)、時間表示ユニット(130)、照明ユニット及び拡散光モジュール(150)と固定板(160)を含む。ここに上述各部材の位置及び機能について次の如く説明する。
【００１２】
回路板(110)は常に見られる印刷回路板でよく、それは電源（図面には示されていない）に接続されて電源からの給電を受け、電源は乾電池でよく、またはAC外接電源でもよい。時計の機芯(120)は常に見られる石英の時計機芯であり、回路板(110)は機芯(120)と一体に組み付けられ、機芯(120)はそれの制御運行を受けて時計の機能を提供する。その時計の機芯(120)は更に固定板(160)の時間表示ユニット(130)に背向ける一面に固定される。時間表示ユニット(130)は時計の機芯(120)に接続され、並びにそれの制御を受けて時間を表示する。本実施例に於いて、時間表示ユニット(130)は時間表示符号が印刷してある透明のシート(sheet)と、時計の機芯(120)に接続される少なくとも一つの時間針及び分針が含まれ、または実施例図に示すように更に秒針が含まれる。照明ユニットは回路板(110)に接続され、並びにそれの制御を受けて照明光源を提供し、本実施例に於いて、それは二つの発光ダイオード(diode)(LED) (140)によって実現される。
【００１３】
ここで説明するべきことは、上記部材は従来の照明機能を備えた時計に共有され、本考案の特徴は拡散光モジュール(150)の回折機能は前記照明ユニットLED(140)からの光線を時間表示ユニット(130)のシート状照明に変換することができ、拡散光の照明機能を果たすことである。
【００１４】
図５、図６は本考案の拡散光の照明機能を備える指針式時計の拡散光モジュールの拡大立体分解図、及び拡散光モジュールの実施意表図である。拡散光モジュール(150)は固定板(160)と時間表示ユニット(130)の間に位置し、少なくとも一枚の回折片(151)を含み、かつこの実施例に於いて、前記回折片(151)は更に反射片(152)と拡散片(153)を含む。
【００１５】
その中、反射片(152)、回折片(151)及び拡散片(153)は固定板(160)から時間表示ユニット(130)の方向に沿って順番に重ね合わせ、それから固定板(160)の別の一面に設置される。回折片(151)には定位槽(1511)が設けられ、それは照明ユニットの二枚のLED  (140)が発光端をもって回折片(151)の定位槽(1511)への嵌め付けに用いられる。これにより、LED(140)が回路板(110)の制御によって始動発光した場合、それの発出した光線はちょうど前記回折片(151)の厚さ方向の断面に接収される。この時、回折片(151)は光線を回折し、この透明の回折片(151)全体に散布する。
【００１６】
ここで本案の光学原理について概略説明する。回折(Diffraction)は波が障害物に遭遇して乱射を通じて継続に伝送される現象を指す。本考案に於いて、光線が前記回折片(151)の厚さ方向から回折片(151)に進入した後、直ちに透明の回折片(151)内部で乱射を行い、光線が回折片(151)全体に充満する現象が起きる。このとき、回折片(151)の一側に位置する反射片(152)は更に回折片(151)から固定板(160)方向へ投射した光線は時間表示ユニット(130)方向へ反射し、すなわち回折片(151)へ反射戻り、光線の利用度を増強する。最後は、拡散片(153)が回折片(151)からの光線を拡散させて時間表示ユニット(130)へ伝動するので、時間表示ユニット(130)は図７に示すように温和均衡なシート状照明効果が現われる。
【００１７】
上述実施例に於いて、時間表示ユニット(130)は時間表示符号が印刷してある透明のシートと、時計の機芯に接続される指針が含まれてあるが、図８に示す実施例に於いて、その時間表示ユニット(130)は拡散片(153)に印刷された時間表示符号及び時計の機芯に接続される時針、分針と秒針でも可能である（図７に示す如く）。
【００１８】
上述をまとめると、固定板(160)と時間表示ユニット(130)の間に位置する拡散光モジュール(150)を通じ、物理性の光学原理によって点状のLED(140)光源を均衡のシート状照明に拡散柔化することができ、それはLED(140)の数を増やす必要がなく、かつ如何なる電気設備を増設する必要もない。尚且つ組立時には拡散光モジュール(150)を予め張り付け等方式を通じて組み付け、直接元来の時計の組立過程に加入すればよく、量産に便利である。このほか、回折片(151)は如何なる透明の実体でよく、例えば、軽量かつ価格の安いアクリル(acryl)板をもって実現される。反射片(152)と拡散片(153)は対応の表面処理を経たプラスチックフィルム(plastic film)を用いて必要な機能を果たすことができ、かつ製造コスト及び製品の重量に対して具体的影響をもたらすことにならない。しかし、それが発揮する拡散光の作用は極めて有効かつ信頼することができる。
【００１９】
このように、本考案の拡散光の照明機能を備える指針式時計は夜間の時間判読を便利にするほか、この指針式時計自身は照明光源の提供にも用いられる。その拡散光モジュールの構造は精巧簡単であり、現有時計の組立過程と組合せ、別の設備や工程を提供する必要がなく、かつ材質が経済的で壊れにくく、製造コストが低い、使用寿命が長い等長所を備えるので、夜間の時間判読を便利にするほか、この指針式時計自身は照明光源の提供にも用いられる。
【００２０】
以上に取り上げた実施例は本考案の説明に用いるだけであり、それは本考案の範囲を制限するものではない。およそこの技術に精通するものが本考案の精神と範疇を離脱しないで行った各種改修または変化は、すべて本考案の特許登録範囲に属するものである。
【符号の説明】
【００２１】
10      指針式時計
110    回路板
120    時計の機芯
130    時間表示ユニット
140    照明ユニット発光ダイオード
150    拡散光モジュール
160    固定板
151    回折片
1511    定位槽
152    反射片
153    拡散片
90      照明時計
91      照明時計の時計面
92      照明時計の点状光源
【図１】
0003161218.tif 000003
【図２】
0003161218.tif 000004
【図３】
0003161218.tif 000005
【図４】
0003161218.tif 000006
【図５】
0003161218.tif 000007
【図６】
0003161218.tif 000008
【図７】
0003161218.tif 000009
【図８】
0003161218.tif 000010